(57)【要約】【課題】  作業者がアイロンを掛ける際に、上体を屈めることなく自然な姿勢で、効率的な作業の出来る折り畳み式アイロン台を提供する。【解決手段】  折り畳み式アイロン台の前後二本ずつの脚部間に、脚部の長短の差異による段差を作り、台座部位を斜めに設置する。台座部位を斜めに設置することで、従来の水平方向へのアイロン掛けの方法と画し、作業者に斜面でのアイロン掛けの方法を採用させる。台座部位の傾斜を特徴とする折り畳み式アイロン台。【選択図】図３
0003136266.tif 000002
【実用新案登録請求の範囲】
【請求項１】
アイロン台の前後二本ずつの脚部間に、脚部の長短の差異による段差を作り、台座部位を斜めに設置する。台座部位を斜めに設置することで、従来の水平方向へのアイロン掛けの方法と画し、斜面でのアイロン掛けの方法を採用させる。台座部位の傾斜を特徴とするアイロン台。
【考案の詳細な説明】
【技術分野】
【０００１】  本考案は、アイロン台使用時に、身体に掛かる負担の軽減、作業効率の軽減を可能にする、折り畳み式傾斜型アイロン台に関するものである。
【背景技術】
【０００２】  従来、脚部の長短の同一な水平型の台座のアイロン台を使用した場合、身体を屈める不自然な姿勢による労力過多の、非効率な水平方向への衣類のアイロン掛けを行っていた。
【考案の開示】
【考案が解決しようとする課題】
【０００３】  そのために、次のような問題点があった。
作業者が衣類にアイロンを掛ける場合、水平型のアイロン台に対して、上体を屈曲させた不自然な姿勢による身体への負担を強いられていた。又、水平方向への衣類のアイロン掛けは、作業時間や労力の所要に於いて非効率的であった。
本考案は以上の問題点を解決しようとするものである。
【課題を解決するための手段】
【０００４】  アイロン台の脚部４本の内、前部２本の脚部に長短の差異を設け、又、後部も同様の長短の差異を設けることで、台座部位を斜め方向に傾斜させて設置した。
以上を特徴とする折り畳み式の傾斜型アイロン台である。
【考案の効果】
【０００５】  本考案は、アイロン台の台座部位を斜め方向に傾斜させたことにより、着座した作業者は上体の姿勢を崩すことなく、自然な姿勢でアイロン掛けを実行することが出来、アイロン掛けの労力を軽減させられる。又、斜め方向への衣類のアイロン掛けは、水平方向のアイロン掛けよりも作業効率において利便性が良い。
従来品である水平型のアイロン台で作業を行う際に被る、上体を屈曲させた不自然な姿勢による身体への負担を解消することが可能となり、作業効果も上がる。
【考案を実施するための最良の形態】
【０００６】  以下、本考案の実施の形態を説明する。
（イ）アイロン台本体（１）の裏側に、足の取り付け枠（２）を設ける。
（ロ）枠（２）にアルミ製の脚部４本（３）の内、作業者の手前に設けられる脚部２本を短く、作業者の奥側に設けられる脚部を長く設置する。又、前後の脚部に設ける長短の差異は凡そ２：３とし、前部、後部とも同様の形状で脚部取り付け枠となる留め金（２）に設置する。
従来の脚部格納式のアイロン台の方法を採用して、脚部取り付け枠となる留め金（２）を利用し、脚部を台座部位の裏面に格納出来るようにする。脚部に生ずる曲線部（４）の４箇所に、脚部と同じアルミ製のストッパー（６）を設け、作業を行う際に台座部位に格納した脚部を可動し作業を行う際、脚部が台座部位と垂直となる位置で正確に固定させる役割をさせる。
（ハ）脚部（３）の先端に、滑り止めとなる被せ具（５）を装着する。
（二）アイロン台の生地は、既成通り綿百パーセントなどの生地を用いる。クッションとなるフェルト状のものや、土台部位の材質や設置構造も、従来のアイロン台の仕様に従属するものとする。
本考案は、以上の構造より成っていて、このアイロン台を使用する際は、作業者の手前側となる端（７）が低い構造となり、作業者の奥側となる端（８）が高い構造となる。よって、上体を屈めることなく自然な姿勢で効率的な作業が出来、作業者の労力も軽減される。
【図面の簡単な説明】
【０００７】
【図１】本考案の斜視図
【図２】本考案の未使用時の脚部格納状態を示す裏面図
【図３】本考案の使用状態を示す側面図
【符号の説明】
【０００８】  １  アイロン台
２  脚部取り付け枠となる留め金
３  脚部
４  脚部の曲線部
５  滑り止めとなる被せ具
６  ストッパー
７  作業者の手前側となる端
８  作業者の奥側となる端
【図１】
0003136266.tif 000003
【図２】
0003136266.tif 000004
【図３】
0003136266.tif 000005
【手続補正書】
【提出日】平成19年2月3日(2007.2.3)
【手続補正１】
【補正対象書類名】実用新案登録請求の範囲
【補正対象項目名】請求項１
【補正方法】変更
【補正の内容】
【請求項１】
折り畳み式アイロン台の前後二本ずつの脚部間に、脚部の長短の差異による段差を作り、台座部位を斜めに設置することで作業者に斜面方向でのアイロン掛けの方法を採用させる。台座部位の傾斜を特徴とする折り畳み式アイロン台。
【手続補正２】
【補正対象書類名】明細書
【補正対象項目名】０００１
【補正方法】変更
【補正の内容】
【０００１】  本考案は、折り畳み式アイロン台使用時に、身体に掛かる負担の軽減、作業効率の軽減を可能にする、折り畳み式傾斜型アイロン台に関するものである。
【手続補正３】
【補正対象書類名】明細書
【補正対象項目名】０００２
【補正方法】変更
【補正の内容】
【０００２】  脚部の長短の同一な水平型の台座の折り畳み式アイロン台を使用した場合、身体を屈める不自然な姿勢による労力過多の、非効率な水平方向への衣類のアイロン掛けを行っていた。
【手続補正４】
【補正対象書類名】明細書
【補正対象項目名】０００３
【補正方法】変更
【補正の内容】
【０００３】  そのために、次のような問題点があった。
作業者が衣類にアイロンを掛ける場合、水平型の折り畳み式アイロン台に対して、上体を屈曲させた不自然な姿勢による身体への負担を強いられていた。又、水平方向への衣類のアイロン掛けは、作業時間や労力の所要に於いて非効率的であった。
本考案は以上の問題点を解決しようとするものである。
【手続補正５】
【補正対象書類名】明細書
【補正対象項目名】０００４
【補正方法】変更
【補正の内容】
【０００４】  折り畳み式アイロン台の脚部４本の内、前部２本の脚部に長短の差異を設け、又、後部も同様の長短の差異を設けることで、台座部位を斜め方向に傾斜させて設置した。
以上を特徴とする折り畳み式傾斜型アイロン台である。
【手続補正６】
【補正対象書類名】明細書
【補正対象項目名】０００５
【補正方法】変更
【補正の内容】
【０００５】  本考案は、折り畳み式アイロン台の台座部位を斜め方向に傾斜させたことにより、着座した作業者は上体の姿勢を崩すことなく、自然な姿勢でアイロン掛けを実行することが出来、アイロン掛けの労力を軽減させられる。又、斜め方向への衣類のアイロン掛けは、水平方向のアイロン掛けよりも作業効率において利便性が良い。
従来品である水平型の折り畳み式アイロン台で作業を行う際に被る、上体を屈曲させた不自然な姿勢による身体への負担を解消することが可能となり、作業効果も上がる。
【手続補正７】
【補正対象書類名】明細書
【補正対象項目名】０００８
【補正方法】変更
【補正の内容】
【０００８】１  折り畳み式アイロン台
２  脚部取り付け枠となる留め金
３  脚部
４  脚部の曲線部
５  滑り止めとなる被せ具
６  ストッパー
７  作業者の手前側となる端
８  作業者の奥側となる端
【手続補正書】
【提出日】平成19年6月2日(2007.6.2)
【手続補正１】
【補正対象書類名】実用新案登録請求の範囲
【補正対象項目名】全文
【補正方法】変更
【補正の内容】
【実用新案登録請求の範囲】
【請求項１】
折り畳み式アイロン台の前後二本ずつの脚部間に脚部の長短の差異による段差を作り、台座部位を斜めに設置したことを特徴とする折り畳み式アイロン台。